(57)【要約】【課題】    本発明によれば、簡単な操作によって希望の楽曲データを購入することができる放送提供システム、受信端末、放送提供方法および受信端末の制御方法を提供する。【解決手段】  本発明は、放送データを再生する受信端末１００に対してインターネット６００を介して放送データを提供する放送提供システム１であって、制御サーバ４００は、番組表データと前記番組表内の放送に関連する楽曲識別情報を入力する入力ステップと、前記楽曲識別情報に基づいて楽曲を販売する楽曲販売装置に対して対応する楽曲データの販売確認を行う販売確認ステップと、前記販売確認ステップによる販売確認結果に応じて前記楽曲識別情報に対応した楽曲を販売するための楽曲販売情報を生成する販売情報生成ステップと、前記受信端末の要求に応じて前記楽曲販売情報を前記番組表データに付加して前記受信端末に送信する番組表送信ステップとを実行する。【選択図】          図１
2010267228.tif 000002
【特許請求の範囲】
【請求項１】
放送データを再生する受信端末に対してインターネットを介して放送データを提供する放送提供システムであって、
番組表データと前記番組表内の放送に関連する楽曲識別情報を入力する入力手段と、
前記楽曲識別情報に基づいて楽曲データを販売する楽曲販売装置に対して対応する楽曲データの販売確認処理を行う販売確認手段と、
前記販売確認手段による販売確認結果に応じて前記楽曲識別情報に対応した楽曲データを販売するための楽曲販売情報を生成する販売情報生成手段と、
前記受信端末の要求に応じて前記販売情報生成手段により生成した楽曲販売情報を前記番組表データに付加して前記受信端末に送信する番組表送信手段と、を有する放送提供システム。
【請求項２】
前記放送データは、ラジオ放送データである請求項１に記載の放送提供システム。
【請求項３】
地理情報と該地理情報によって放送が可能な放送局を予め関連付けて記憶する放送局記憶手段と、
前記受信端末から前記受信端末の地理情報を取得する地理情報取得手段と、
前記放送局記憶手段に記憶された放送局の中から前記地理情報取得手段が取得した受信端末の地理情報に対応する放送局のリストを前記受信端末に送信するリスト送信手段と、を更に有し、
前記番組表送信手段は、前記放送局のリストの中から前記受信端末によって選択された放送局の番組表データに前記楽曲販売情報を付加して前記受信端末に送信する請求項１または請求項２に記載の放送提供システム。
【請求項４】
前記リスト送信手段は、前記受信端末の要求に応じて前記放送局記憶手段に記憶された放送局の中から前記地理情報取得手段が取得した受信端末の地理情報に対応する放送局以外の放送局のリストを前記受信端末に送信する請求項３に記載の放送提供システム。
【請求項５】
前記楽曲販売装置は、複数のサービス事業者のそれぞれによって複数提供されており、
前記販売確認手段は、前記複数のサービス事業者が提供する複数の楽曲販売装置のそれぞれに対して前記楽曲識別情報に基づいて前記楽曲データの販売の確認処理を行う請求項１〜請求項４のいずれかに記載の放送提供システム。
【請求項６】
インターネットを介して放送データを受信する受信端末であって、
前記受信端末の地理情報を取得する地理情報取得手段と、
サーバに対して前記地理情報を送信して前記地理情報に基づき視聴が可能な放送局リストを取得するリスト取得手段と、
前記放送局リストの中から選択された放送局の番組表データと、前記番組表内の放送に関連する楽曲識別情報に基づき楽曲の販売確認処理が終わった楽曲販売情報を取得する番組表取得手段と、
前記番組表の中から選択された番組の番組データの配信を要求して前記番組データを再生制御する再生制御手段と、
前記楽曲販売情報に基づき楽曲販売装置から楽曲データをダウンロードする楽曲データ取得手段と、を有する受信端末。
【請求項７】
前記放送データは、ラジオ放送データである請求項６に記載の受信端末。
【請求項８】
前記地理情報取得手段は、予め定められた設定時間毎に前記地理情報を新たに取得し、
前記再生制御手段は、前記新たに取得した地理情報に基づき前記番組データの再生を制限する請求項６または請求項７に記載の受信端末。
【請求項９】
前記楽曲取得手段は、前記再生制御手段によって前記番組データの再生が制限されている期間、前記楽曲販売装置からの前記楽曲データのダウンロードを許可する請求項８に記載の受信端末。
【請求項１０】
前記地理情報取得手段は、ＧＰＳ、携帯基地局、ルーターのＩＰアドレス、無線ＬＡＮ機器間の相互接続性を認証されたことを示すＷｉ−Ｆｉのルーターの設置位置のいずれかによって前記受信端末の位置情報を取得して前記受信端末の地理情報を決定する請求項６〜請求項９のいずれかに記載の受信端末。
【請求項１１】
放送データを再生する受信端末に対してインターネットを介して放送データを提供する放送提供方法であって、
番組表データと前記番組表内の放送に関連する楽曲識別情報を入力する入力ステップと、
前記楽曲識別情報に基づいて楽曲データを販売する楽曲販売装置に対して対応する楽曲データの販売確認を行う販売確認ステップと、
前記販売確認ステップによる販売確認結果に応じて前記楽曲識別情報に対応した楽曲データを販売するための楽曲販売情報を生成する販売情報生成ステップと、
前記受信端末の要求に応じて前記楽曲販売情報を前記番組表データに付加して前記受信端末に送信する番組表送信ステップと、を有する放送提供方法。
【請求項１２】
前記放送データは、ラジオ放送データである請求項１１に記載の放送提供方法。
【請求項１３】
前記受信端末から前記受信端末の地理情報を取得する地理情報取得ステップと、
前記地理情報取得ステップで取得した受信端末の地理情報に基づく地域によって放送が可能な放送局のリストを前記受信端末に送信するリスト送信ステップと、を有し、
前記番組表送信ステップは、前記放送局のリストの中から前記受信端末によって選択された放送局の番組表データに前記楽曲販売情報を付加して受信端末に送信するステップを含む請求項１１または請求項１２に記載の放送提供方法。
【請求項１４】
前記リスト送信ステップは、放送局の中から前記地理情報取得ステップで取得した受信端末の地理情報に対応する放送局以外の放送局のリストを前記受信端末に送信するステップを含む請求項１３に記載の放送提供方法。
【請求項１５】
前記楽曲販売装置は、複数のサービス事業者のそれぞれによって複数提供されており、
前記販売確認ステップは、前記複数のサービス事業者が提供する複数の楽曲販売装置のそれぞれに対して前記楽曲識別情報に基づく楽曲データの販売を確認する請求項１１〜請求項１４のいずれかに記載の放送提供方法。
【請求項１６】
インターネットを介してラジオ放送データを受信する受信端末の制御方法であって、
前記受信端末の地理情報を取得する地理情報取得ステップと、
サーバに対して前記地理情報を送信して前記地理情報に基づき視聴が可能な放送局リストを取得するリスト取得ステップと、
前記放送局リストの中から選択された放送局の番組表データと、前記番組表内の放送に関連する楽曲識別情報に基づき楽曲の販売確認処理が終わった楽曲販売情報とを取得する番組表取得ステップと、
前記番組表の中から選択された番組の番組データの配信を要求して前記番組データを再生制御する再生制御ステップと、
前記楽曲販売情報に基づき楽曲販売装置から楽曲データをダウンロードする楽曲データ取得ステップと、を有する受信端末の制御方法。
【請求項１７】
前記放送データは、ラジオ放送データである請求項１６に記載の受信端末の制御方法。
【請求項１８】
前記地理情報取得ステップは、予め定められた設定時間毎に前記地理情報を新たに取得するステップを含み、
前記再生制御ステップは、前記新たに取得した地理情報に基づき前記番組データの再生を制限する請求項１６または請求項１７に記載の受信端末の制御方法。
【請求項１９】
前記楽曲取得ステップは、前記番組データの再生が制限されている期間、前記楽曲販売装置からの前記楽曲データのダウンロードを許可するステップを含む請求項１８に記載の受信端末の制御方法。
【発明の詳細な説明】
【技術分野】
【０００１】
本発明は、放送提供システム、受信端末、放送提供方法及び受信端末の制御方法に関する。
【背景技術】
【０００２】
従来より、アンテナを介して放送波を受信して携帯電話等により放送を視聴するものが提案されている。また近年インターネットの発達によりインターネット等のネットワークを介して放送データを取得して放送を視聴できるものが提案されている（特許文献１参照）。
【０００３】
特許文献１の受信機では、サーバから提供される番組をインターネット経由で受信し、受信中の楽曲に関して動作環境に応じた楽曲データを音楽配信サーバからダウンロードして楽曲データを視聴できるようにしている。
【先行技術文献】
【特許文献】
【０００４】
【特許文献１】特開２００４−２６４３６０号公報
【発明の概要】
【発明が解決しようとする課題】
【０００５】
しかしながら、上記従来技術は、放送番組中の楽曲データを他の音楽配信サーバからダウンロードする際に、その楽曲データが必ずしも音楽配信サーバで取り扱われているとは限らない。その楽曲データを取得したいユーザは他の音楽配信サーバに問い合わせる等の操作が必要となる。
【０００６】
そこで、本発明は、上記の問題に鑑みなされたものであって、簡単な操作によって希望の楽曲データを購入することができる放送提供システム、受信端末、放送提供方法および受信端末の制御方法を提供することを目的とする。
【課題を解決するための手段】
【０００７】
上記課題を解決するために、第１発明の放送提供システムは、放送データを再生する受信端末に対してインターネットを介して放送データを提供する放送提供システムであって、番組表データと前記番組表内の放送に関連する楽曲識別情報を入力する入力手段と、前記楽曲識別情報に基づいて楽曲データを販売する楽曲販売装置に対して対応する楽曲データの販売確認処理を行う販売確認手段と、前記販売確認手段による販売確認結果に応じて前記楽曲識別情報に対応した楽曲データを販売するための楽曲販売情報を生成する販売情報生成手段と、前記受信端末の要求に応じて前記販売情報生成手段により生成した楽曲販売情報を前記番組表データに付加して前記受信端末に送信する番組表送信手段とを有する。
【０００８】
本発明によれば、放送を視聴しているユーザは簡単な操作によって希望の楽曲データを購入することができる。また実際に楽曲販売装置に販売されている楽曲についての販売情報を入手することができる。
【０００９】
上記第１発明において、前記放送データは、ラジオ放送データであるのが好ましい。
【００１０】
また、上記第１発明の放送提供システムにおいて、地理情報と該地理情報によって放送が可能な放送局を予め関連付けて記憶する放送局記憶手段と、前記受信端末から前記受信端末の地理情報を取得する地理情報取得手段と、前記放送局記憶手段に記憶された放送局の中から前記地理情報取得手段が取得した受信端末の地理情報に対応する放送局のリストを前記受信端末に送信するリスト送信手段と、を更に有し、前記番組表送信手段は、前記放送局のリストの中から前記受信端末によって選択された放送局の番組表データに前記楽曲販売情報を付加して前記受信端末に送信する。本発明によれば、一般に放送は地域に限定して視聴が許諾されているため、受信端末の地理情報を利用して放送の視聴を制限することができる。また、放送の視聴が許諾された放送に関連した楽曲データだけをユーザに提供することができる。
【００１１】
上記第１発明の放送提供システムにおいて、前記リスト送信手段は、前記受信端末の要求に応じて前記放送局記憶手段に記憶された放送局の中から前記地理情報取得手段が取得した受信端末の地理情報に対応する放送局以外の放送局のリストを前記受信端末に送信する。本発明によれば、ユーザは受信端末の地域によっては放送の視聴が許諾されていない放送局の番組中に流れた楽曲データを入手することができる。
【００１２】
上記第１発明の放送提供システムにおいて、前記楽曲販売装置は、複数のサービス事業者のそれぞれによって複数提供されており、前記販売確認手段は、前記複数のサービス事業者が提供する複数の楽曲販売装置のそれぞれに対して前記楽曲識別情報に基づいて前記楽曲データの販売の確認処理を行う。本発明によれば、楽曲データの販売が複数の事業者によって行われている場合であっても、ユーザは簡単な操作によって複数の事業者から楽曲データを購入することができる。
【００１３】
第２発明の受信端末は、インターネットを介して放送データを受信する受信端末であって、前記受信端末の地理情報を取得する地理情報取得手段と、サーバに対して前記地理情報を送信して前記地理情報に基づき視聴が可能な放送局リストを取得するリスト取得手段と、前記放送局リストの中から選択された放送局の番組表データと、前記番組表内の放送に関連する楽曲識別情報に基づき楽曲データの販売確認処理が終わった楽曲販売情報を取得する番組表取得手段と、前記番組表の中から選択された番組の番組データの配信を要求して前記番組データを再生制御する再生制御手段と、前記楽曲販売情報に基づき楽曲販売装置から楽曲データをダウンロードする楽曲データ取得手段とを有する。本発明によれば、受信端末の地理情報を利用して放送の視聴を制限することができる。放送を視聴しているユーザは簡単な操作によって希望の楽曲データを購入することができる。また実際に楽曲販売装置に販売されている楽曲についての販売情報を入手することができる。
【００１４】
上記第２発明の受信端末において、前記放送データは、ラジオ放送データであるのが好ましい。
【００１５】
上記第２発明の受信端末において、前記地理情報取得手段は、予め定められた設定時間毎に前記地理情報を新たに取得し、前記再生制御手段は、前記新たに取得した地理情報に基づき前記番組データの再生を制限する。本発明によれば、受信端末が隣接する地域間の境にいる場合に番組データの再生を実際に受信端末が存在する地域に応じて制限することができる。
【００１６】
上記第２発明の受信端末において、前記楽曲取得手段は、前記再生制御手段によって前記番組データの再生が制限されている期間、前記楽曲販売装置からの前記楽曲データのダウンロードを許可する。本発明によれば、楽曲データの購入は放送の地域制限とは別の問題であるため、ユーザは放送の視聴が制限されている地域に移動した場合でも楽曲データを購入することができる。
【００１７】
上記第２発明の受信端末において、前記地理情報取得手段は、ＧＰＳ、携帯基地局、ルーターのＩＰアドレス、無線ＬＡＮ機器間の相互接続性を認証されたことを示すＷｉ−Ｆｉのルーターの設置位置のいずれかによって前記受信端末の位置情報を取得して前記受信端末の地理情報を決定する。
【００１８】
第３発明の放送提供方法は、放送データを再生する受信端末に対してインターネットを介して放送データを提供する放送提供方法であって、番組表データと前記番組表内の放送に関連する楽曲識別情報を入力する入力ステップと、前記楽曲識別情報に基づいて楽曲データを販売する楽曲販売装置に対して対応する楽曲データの販売確認を行う販売確認ステップと、前記販売確認ステップによる販売確認結果に応じて前記楽曲識別情報に対応した楽曲データを販売するための楽曲販売情報を生成する販売情報生成ステップと、前記受信端末の要求に応じて前記楽曲販売情報を前記番組表データに付加して前記受信端末に送信する番組表送信ステップと、を有する。本発明によれば、放送を視聴しているユーザは簡単な操作によって希望の楽曲データを購入することができる。また実際に楽曲販売装置に販売されている楽曲についての販売情報を入手することができる。
【００１９】
上記第３発明の放送提供方法において、前記放送データは、ラジオ放送データであるのが好ましい。
【００２０】
上記第３発明の放送提供方法において、前記受信端末から前記受信端末の地理情報を取得する地理情報取得ステップと、前記地理情報取得ステップで取得した受信端末の地理情報に基づく地域によって放送が可能な放送局のリストを前記受信端末に送信するリスト送信ステップと、を有し、前記番組表送信ステップは、前記放送局のリストの中から前記受信端末によって選択された放送局の番組表データに前記楽曲販売情報を付加して受信端末に送信するステップを含む。本発明によれば、一般に放送は地域に限定して視聴が許諾されているため、受信端末の地理情報を利用して放送の視聴を制限することができる。また、放送の視聴が許諾された放送に関連した楽曲データだけをユーザに提供することができる。
【００２１】
上記第３発明の放送提供方法において、前記リスト送信ステップは、放送局の中から前記地理情報取得ステップで取得した受信端末の地理情報に対応する放送局以外の放送局のリストを前記受信端末に送信するステップを含む。本発明によれば、ユーザは受信端末の地域によっては放送の視聴が許諾されていない放送局の番組中に流れた楽曲データを入手することができる。
【００２２】
上記第３発明の放送提供方法において、前記楽曲販売装置は、複数のサービス事業者のそれぞれによって複数提供されており、前記販売確認ステップは、前記複数のサービス事業者が提供する複数の楽曲販売装置のそれぞれに対して前記楽曲識別情報に基づく楽曲データの販売を確認する。本発明によれば、楽曲データの販売が複数の事業者によって行われている場合であっても、ユーザは簡単な操作によって複数の事業者から楽曲データを購入することができる。
【００２３】
第４発明の受信端末の制御方法は、インターネットを介してラジオ放送データを受信する受信端末の制御方法であって、前記受信端末の地理情報を取得する地理情報取得ステップと、サーバに対して前記地理情報を送信して前記地理情報に基づき視聴が可能な放送局リストを取得するリスト取得ステップと、前記放送局リストの中から選択された放送局の番組表データと、前記番組表内の放送に関連する楽曲識別情報に基づき楽曲の販売確認処理が終わった楽曲販売情報とを取得する番組表取得ステップと、前記番組表の中から選択された番組の番組データの配信を要求して前記番組データを再生制御する再生制御ステップと、前記楽曲販売情報に基づき楽曲販売装置から楽曲データをダウンロードする楽曲データ取得ステップとを有する。本発明によれば、受信端末の地理情報を利用して放送の視聴を制限することができる。放送を視聴しているユーザは簡単な操作によって希望の楽曲データを購入することができる。また実際に楽曲販売装置に販売されている楽曲についての販売情報を入手することができる。
【００２４】
上記第４発明の受信端末の制御方法において、前記放送データは、ラジオ放送データであるのが好ましい。
【００２５】
上記第４発明の受信端末の制御方法において、前記地理情報取得ステップは、予め定められた設定時間毎に前記地理情報を新たに取得するステップを含み、前記再生制御ステップは、前記新たに取得した地理情報に基づき前記番組データの再生を制限する。本発明によれば、受信端末が隣接する地域間の境にいる場合に番組データの再生を実際に受信端末が存在する地域に応じて制限することができる。
【００２６】
上記第４発明の受信端末の制御方法において、前記楽曲取得ステップは、前記番組データの再生が制限されている期間、前記楽曲販売装置からの前記楽曲データのダウンロードを許可するステップを含む請求項１８に記載の受信端末の制御方法。本発明によれば、楽曲データの購入は放送の地域制限とは別の問題であるため、ユーザは放送の視聴が制限されている地域に移動した場合でも楽曲データを購入することができる。
【発明の効果】
【００２７】
本発明によれば、簡単な操作によって希望の楽曲データを購入することができる放送提供システム、受信端末、放送提供方法および受信端末の制御方法を提供することができる。
【図面の簡単な説明】
【００２８】
【図１】本発明の実施形態に係るシステムの概略図である。
【図２】本発明の実施形態に係る受信端末のブロック図である。
【図３】放送局Ａの放送局テーブルである。
【図４】放送局リストテーブルを示す図である。
【図５】ＧＰＳを利用した地理情報判定テーブルである。
【図６】本発明の実施形態に係るシステムの動作手順を示すシーケンス図である。
【図７】制御サーバの楽曲販売情報の生成処理のフローチャートである。
【図８】制御サーバの楽曲販売情報を付加した番組表の送信処理フローチャートである。
【図９】本発明の実施形態に係る受信端末の動作フローチャートである。
【図１０】受信端末の画面を示す図である。
【図１１】受信端末の再生制御の処理フローチャートである。
【図１２】音源配信サーバの処理フローチャートである。
【図１３】地理情報判定テーブルの他の例である。
【図１４】地理情報判定テーブルの他の例である。
【図１５】地理情報判定テーブルの他の例である。
【発明を実施するための形態】
【００２９】
以下、本発明に係る好適な実施形態について、図面を参照しながら詳細に説明する。
【００３０】
図１は、本発明の実施形態に係るシステムの概略図である。放送提供システム１は、ラジオ放送データを再生する受信端末に対してインターネットを介してラジオ放送データを提供するものである。図１に示すように、放送提供システム１は、受信端末１００、音源配信サーバ２００、放送局ＷＥＢサーバ３００、制御サーバ４００、楽曲販売サーバ５００を有する。これらはインターネット６００を介して接続されている。
【００３１】
受信端末１００は、携帯電話としての機能とインターネットを介して受信したラジオ放送データを再生する機能とラジオ放送中に流れた楽曲データなどラジオ放送に関連するデジタルコンテンツとしての楽曲データをダウンロードして再生する機能を有する。メタデータ（楽曲情報）には楽曲名、アーティスト名等が含まれる。
【００３２】
放送局ＷＥＢサーバ３００は、放送する番組表及び楽曲リスト等のデータを記憶したメモリを有する。この放送局ＷＥＢサーバ３００は、放送局毎に設けられていても良い。音源配信サーバ２００は、ラジオ放送を視聴するユーザに対してインターネットを介してラジオ放送番組データを配信するものである。楽曲販売サーバ５００は、例えばミュージックダウンロードストアであるｉＴｕｎｅｓ  Ｓｔｏｒｅ（登録商標）等によって構成される。
【００３３】
制御サーバ４００は、放送局制御及び楽曲情報制御の制御を行う。制御サーバ４００のメモリには、地理情報と地理情報によって放送が可能な放送局を予め関連付けて記憶されている。音源配信サーバ２００、放送局ＷＥＢサーバ３００、制御サーバ４００、楽曲販売サーバ５００は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、記憶装置等を備えており、ＣＰＵがプログラムを実行することにより各サーバの機能を実現する。
【００３４】
図２は、本発明の実施形態に係る受信端末のブロック図である。図２に示すように、受信端末１００は、アンテナ１０１、無線回路１０２、音声デコーダ１０３、着信音源生成部１０4、ミキサ１０５、Ｄ／Ａ変換器１０６、１０７、アンプ１０８、１０９、スピーカ１１０、１１１、マイクロホン１１２、アンプ１１３、Ａ／Ｄ変換器１１４、音声エンコーダ１１５、アンテナ１１６、放送受信回路１１７、多重信号分離器１１８、音声デコーダ１１９、映像デコーダ１２０、データ放送処理部１２１、表示制御部１２２、表示部１２３、ＭＰＵ（ｍｉｃｒｏ  ｐｒｏｃｅｓｓｉｎｇ  ｕｎｉｔ）１２４、ＧＰＳアンテナ１３０を備えている。
【００３５】
アンテナ１０１は、携帯無線通信によって音声信号を送受信する音声通信、インターネット上のサイトを閲覧するネットワーク通信を行うためのものである。このアンテナ１０１を介してインターネット上の音源配信サーバ２００、制御サーバ４００、楽曲販売サーバ５００にアクセスする。無線回路１０２は、携帯電話用の無線回路として機能する。音声デコーダ１０３は、携帯無線通信による受信信号を復号化して非圧縮のデジタル音声信号に変換する。
【００３６】
着信音源生成部１０４は、着信を報知するデジタル着信音源信号を生成する。ミキサ１０５は、デジタル着信音源信号と音声デコーダ１１９から出力されるラジオデジタル音声信号を混合する。Ｄ／Ａ変換器１０６、１０７は、デジタル音声信号をアナログ音声信号に変換する。アンプ１０８、１０９は、アナログ信号を増幅する。スピーカ１１０、１１１は、増幅された音声信号を拡声する。マイクロホン１１２は、利用者の音声を入力する。Ａ／Ｄ変換器１１４は、増幅したアナログ音声信号をデジタル音声信号に変換する。音声エンコーダ１１５は、デジタル音声信号を符号化する。
【００３７】
次に、ラジオ放送の受信機能の部分を説明する。アンテナ１１６は、デジタル放送を受信するためのものである。放送受信回路１１７は、指定された放送局のチャンネルを選局してＴＳ（Ｔｒａｎｓｐｏｒｔ  Ｓｔｒｅａｍ）信号と呼ばれる多重信号を抽出する。多重信号分離器１１８は、抽出された多重化信号から音声、映像、データ放送の各信号を分離する。音声デコーダ１１９は、分離した音声信号を復号化して非圧縮のデジタル音声信号に変換する。映像デコーダ１２０は、分離した映像信号を復号化して非圧縮のデジタル映像信号に変換する。データ放送処理部１２１は、分離したデータ放送信号を処理する。
【００３８】
表示制御部１２２は、映像デコーダ１２０から出力されるデジタル放送信号から色信号及び輝度信号を分離して表示部１２３に表示する映像を制御する。ＭＰＵ１２４は、マイクロプロセッサユニットであって、各部全体を制御する機能と、インターネットを介して受信したラジオ放送を再生する機能と、ＧＰＳアンテナ１３０等を介して受信端末の位置情報を取得して受信端末の地理的な位置を特定する機能等を制御する。
【００３９】
次にある放送局の放送局テーブルについて説明する。図３は、放送局Ａの放送局テーブルである。この放送局テーブルは制御サーバ４００内に記憶されている。制御サーバ４００は、放送局ＷＥＢサーバ３００から取得した番組表データと楽曲識別情報に基づいて図３に示す放送局テーブルを生成する。ここでは、番組表内の番組Ａには、この番組で放送された楽曲の楽曲識別情報（Ａ００１）が対応付けられている。同図（ａ）の放送局テーブルでは、番組Ａ〜番組Ｆには、楽曲識別情報が対応付けられているが、まだ楽曲販売情報は生成されていないことを示している。
【００４０】
制御サーバ４００は、楽曲販売サーバ５００に問い合わせを行い、楽曲識別情報に対応する楽曲を販売している場合には、楽曲販売情報を生成して放送局テーブルに関連付けて同図（ｂ）のような状態で記憶する。図３（ｂ）に示すように、番組Ａには楽曲販売情報（AAA.html）が関連付けられている。受信端末１００は、この楽曲販売情報を利用して楽曲販売サーバ５００から楽曲情報をダウンロードすることができる。尚、番組Ｄ、Ｅには対応する楽曲販売情報が無いことを示しているが、これは楽曲販売サーバ５００に該当する楽曲が販売されていなかったことを示している。
【００４１】
次に、放送局リストテーブルについて説明する。図４は、放送局リストテーブルを示す図である。この放送局リストテーブルは、制御サーバ４００内に予め記憶されている。制御サーバ４００は、放送局リストテーブルと受信端末１００から受信した地理情報を参照して、受信端末１００の地理情報によって放送が可能な放送局を検索して放送局リストを作成する。例えば、制御サーバ４００は、受信端末１００から地域Ａの地理情報を受信した場合、地域Ａにて放送が許諾されている放送局ａと放送局ｄを含む放送局リストを作成して受信端末１００へ送信する。
【００４２】
次に、ＧＰＳを利用した地理情報判定テーブルについて説明する。図５は、ＧＰＳを利用した地理情報判定テーブルである。この地理情報判定テーブルは受信端末１００のＭＰＵ１２４内に予め格納されている。この地理情報判定テーブルは、地理情報（地域Ａ〜地域Ｚ）と緯度情報の範囲と経度情報の範囲が関連付けられている。受信端末１００は、ＧＰＳアンテナ１３０を介してＭＰＵ１２４が取得する緯度情報と経度情報からなる位置情報に基づいて前記地理情報判定テーブルを参照して、受信端末１００の地理情報を決定する。
【００４３】
例えば、受信端末１００は、ＧＰＳアンテナ１３０を介してＭＰＵ１２４が取得する緯度情報と経度情報が、地域Ａに関連付けられた緯度情報と経度情報の範囲内に有る場合には、受信端末１００は、地域Ａにいると判断し、地域Ａの地理情報を選択する。尚、図５で示した地理情報判定テーブルは例えば制御サーバ４００からダウンロードして使用してもよい。
【００４４】
図６は、本発明の実施形態に係るシステムの動作手順を示すシーケンス図である。制御サーバ４００は、番組表・楽曲識別情報を放送局ＷＥＢサーバ３００に要求する（ステップＳ１０１）。放送局ＷＥＢサーバ３００は、要求された番組表・楽曲識別情報を制御サーバ４００に送信する（ステップＳ１０２）。制御サーバ４００は、放送局ＷＥＢサーバ３００から入力した楽曲識別情報に対応する楽曲を楽曲販売サーバ５００にて楽曲販売しているかの販売確認要求を行う（ステップＳ１０３）。
【００４５】
楽曲販売サーバ５００は、販売確認要求の結果を制御サーバ４００に送信する（ステップＳ１０４）。制御サーバ４００は、販売確認結果に応じて楽曲識別情報に対応した楽曲を販売するための楽曲販売情報を生成する。受信端末１００は、ＧＰＳアンテナ１３０から受信端末１００の位置情報を取得し、受信端末１００の地理的な位置を受信端末の地理情報として制御サーバ４００に送信する（ステップＳ１０５）。
【００４６】
制御サーバ４００は、受信端末の地理情報にて受信が許諾される放送局のリストを生成して受信端末１００に送信する（ステップＳ１０６）。受信端末１００は、放送局リストから放送局を選択し、選択された放送局の番組表データを制御サーバ４００に要求する（ステップＳ１０７）。制御サーバ４００は、放送局のリストの中から受信端末１００によって選択された放送局の番組表データに楽曲販売情報を付加して受信端末１００に送信する（ステップＳ１０８）。受信端末１００は、音源配信サーバ２００から音のストリームを受信するために接続要求を行う（ステップＳ１０９）。音源配信サーバ２００は、受信端末１００からの接続要求に応じて指定された放送局の音のストリームを配信する（ステップＳ１１０）。
【００４７】
受信端末１００は、制御サーバ４００からの番組情報等の表示と並行して、音源配信サーバ２００から配信されてくる音のストリームを再生する。受信端末１００は、画面に表示される楽曲販売情報をユーザが選択した場合、楽曲販売サーバ５００に接続し、販売処理を要求する（ステップＳ１１１）。楽曲販売サーバ５００は、指定された楽曲を受信端末１００に販売処理する（ステップＳ１１２）。受信端末１００は、楽曲販売サーバ５００からユーザによって指定された楽曲をダウンロードを実行する。
【００４８】
次に、制御サーバの楽曲販売情報の生成処理について説明する。図７は、制御サーバの楽曲販売情報の生成処理のフローチャートである。制御サーバ４００は、内部的に番組表・楽曲識別情報要求が発生している場合（ステップＳ２０１のＹＥＳ）、番組表データと楽曲識別情報を放送局ＷＥＢサーバ３００へ要求する（ステップＳ２０２）。
【００４９】
制御サーバ４００は、番組表データと楽曲識別情報を放送局ＷＥＢサーバ３００から取得する（ステップＳ２０３）。この楽曲識別情報は例えば「ｏａ＿ｄａｔａ．ｈｔｍｌ」と記述されている。制御サーバ４００は、取得した楽曲識別情報に対応する楽曲が楽曲販売サーバ５００にて販売されているかの販売確認処理を行う（ステップＳ２０４）。ここで、制御サーバ４００は、楽曲識別情報に基づき楽曲名をア行から検索することにより取得した楽曲識別情報に対応する楽曲が楽曲販売サーバ５００によって販売されているかを検索する。
【００５０】
制御サーバ４００は、楽曲販売サーバ５００がその楽曲を販売していると判断した場合（ステップＳ２０５のＹＥＳ）、楽曲販売サーバ５００へのリンク用ＵＲＬを含む楽曲販売情報を生成する（ステップＳ２０６）。受信端末１００は、この生成された楽曲販売情報を利用してラジオ放送番組に関連する楽曲情報を購入することができる。
【００５１】
尚、楽曲販売サーバ５００が、複数のサービス事業者のそれぞれによって複数提供されている場合、制御サーバ４００は、複数のサービス事業者が提供する複数の楽曲販売サーバ５００のそれぞれに対して楽曲識別情報に基づいて楽曲情報の販売の確認処理を行う。
【００５２】
次に、制御サーバの楽曲販売情報を付加した番組表の送信処理について説明する。図８は、制御サーバの楽曲販売情報を付加した番組表の送信処理フローチャートである。制御サーバ４００は、受信端末１００から受信端末の地理情報を受信した場合（ステップＳ３０１のＹＥＳ）、制御サーバ４００内に記憶された放送局の中から取得した受信端末の地理情報にて受信が許諾されている放送局があるかどうかを判断する（ステップＳ３０２）。
【００５３】
制御サーバ４００は、地理情報にて受信が許諾されている放送局がある場合に（ステップＳ３０２のＹＥＳ）、地理情報にて受信が許諾される放送局リストを生成して受信端末１００に送信する（ステップＳ３０３）。次に、制御サーバ４００は、選択放送局の番組表の要求を受信端末１００から受け付けた場合（ステップＳ３０４のＹＥＳ）、楽曲販売情報を付加した番組表データを受信端末１００に送信する（ステップＳ３０５）。
【００５４】
次に、制御サーバ４００は、受信端末１００から地理情報に該当しない放送局のリストの要求があった場合（ステップＳ３０６のＹＥＳ）、受信端末１００の要求に応じてメモリに記憶された放送局の中から取得した受信端末の地理情報に対応する放送局以外の放送局のリストを受信端末１００に送信する（ステップＳ３０７）。これにより、ユーザは受信端末１００の地域によっては放送の視聴が許諾されていない放送局の番組中に流れた楽曲情報を入手することができる。
【００５５】
次に、本発明の実施形態に係る受信端末の動作について説明する。図９は、本発明の実施形態に係る受信端末の動作フローチャートである。図１０は、受信端末の画面を示す図である。受信端末１００は、地理情報取得処理において、地理情報を取得する（ステップＳ４０１）。具体的には、受信端末１００は、ＧＰＳアンテナ１３０によって受信端末の位置情報を取得して受信端末の地理的な位置を特定して地理情報を決定する。次に、受信端末１００は、地理情報を制御サーバ４００へ送信する（ステップＳ４０２）。
【００５６】
受信端末１００は、制御サーバ４００に対して地理情報を送信して地理情報に基づき視聴が可能な放送局リストを取得する（ステップＳ４０３）。受信端末１００は、放送局リストを表示する（ステップＳ４０４）。受信端末１００は、選択された放送局の番組表を要求する（ステップＳ４０５）。受信端末１００は、放送局リストの中から選択された放送局の番組表データと、番組表内の放送に関連する楽曲販売情報を制御サーバ４００から受信する（ステップＳ４０６）。受信端末１００は、選択放送局の番組表と購入可能な楽曲を表示する（ステップＳ４０７）。図１０（ａ）ではある放送局の番組（例えばＡＡＡＡＡＡＡ）が表示されている。
【００５７】
受信端末１００は、選択放送局の番組表の中から番組を選択する（ステップＳ４０８）。受信端末１００は、ストリーミング要求処理において、番組表の中から選択した番組の番組データの配信を要求する（ステップＳ４０９）。受信端末１００は、選択番組のストリーム配信を受けて、ラジオ番組放送データを再生制御する（ステップＳ４１０）。
【００５８】
次に受信端末１００は、購入する楽曲を選択する（ステップＳ４１１）。例えば図１０（ａ）の画面で受信端末のユーザが番組（ＡＡＡＡＡＡＡ）を選択すると同図（ｂ）に示す画面が表示され、ユーザは番組中に流れた楽曲等番組に関連する楽曲を選択することができる。ここでは、楽曲名（ａａａａａ）、歌手名（ｔｔｔｔｔｔｔｔ）等が表示される。さらに、受信端末のユーザが同図（ｂ）の楽曲（ａａａａａ）を選択すると、同図（ｃ）の画面が表示され、楽曲購入ボタンを押すことにより楽曲情報を購入することができる。
【００５９】
受信端末１００は、選択された楽曲の楽曲販売情報に基づき楽曲販売サーバ５００に楽曲の販売要求を送信する（ステップＳ４１２）。受信端末１００は、楽曲販売サーバ５００から楽曲データのダウンロード処理を実行する（ステップＳ４１３）。受信端末１００は、予め定められた設定時間毎に前記地理情報を新たに取得する。受信端末１００は、新たに取得した地理情報に基づき前記番組データの再生を制限する。受信端末１００は、番組データの再生が制限されている期間、楽曲販売サーバ５００からの楽曲データのダウンロードを許可する。
【００６０】
次に、受信端末の再生制限について説明する。図１１は、受信端末の再生制御の処理フローチャートである。受信端末１００は、予め定められた期間内に定期的に地理情報を取得し、新たな地理情報を取得した場合（ステップＳ５０１のＹＥＳ）、取得した新たな地理情報に基づく番組データの再生制限が必要かどうかを判断する（ステップＳ５０２）。受信端末１００は、新たな地理情報に基づいて番組データの再生制御が必要であると判断した場合（ステップＳ５０２のＹＥＳ）、番組データの出力制御を行う（ステップＳ５０３）。
【００６１】
次に、受信端末１００は、楽曲データのダウンロード要求が有るかどうかを判断し（ステップＳ５０４）、楽曲データのダウンロード要求があった場合（ステップＳ５０４のＹＥＳ）、楽曲データのダウンロードについて許可する（ステップＳ５０５）。
【００６２】
次に、音源配信サーバ２００の処理について説明する。図１２は、音源配信サーバの処理フローチャートである。ラジオ放送データの送出サーバ方式は、リアルタイム・プログレッシブ方式、ＲＴＳＰストリーミングサーバ方式がある。ここではリアルタイム・プログレッシブ方式を採用した場合の処理について説明する。
【００６３】
音源配信サーバ２００は、受信端末１００からのＨＴＴＰファイルの要求を待つ（ステップＳ６０１）。このとき、受信端末は、音源配信サーバ２００側の最新ファイル情報を参照し、音源配信サーバ２００の最新ファイルを要求する。音源配信サーバ２００は、要求に従いＨＴＴＰファイルを受信端末１００に送信する（ステップＳ６０２）。このとき、音源配信サーバ２００は、ファイル名を６桁「００００００」〜「９９９９９９」とし、「９９９９９９」の次は、「００００００」に戻るようにし、ＮＥＸＴファイルの判定は「最後に取得したファイルより、値が大きいもの。」を利用し、ファイルは５つ程度を常に持ち、不要となった過去のファイルは自動的に削除するようにする。
【００６４】
受信端末１００は、２〜３ファイルを受信したら、ギャップレス再生を行う。そして、受信端末１００は、裏では次々とファイルを受信する。音源配信サーバ２００は、全てのＨＴＴＰファイルを送信したら、処理を終了する（ステップＳ６０３のＹＥＳ）。
【００６５】
次に、携帯電話の基地局情報を用いた地理情報判定テーブルについて説明する。図１３は、地理情報判定テーブルの他の例である。この地理情報判定テーブルは受信端末１００のＭＰＵ１２４内に予め格納されている。携帯電話の基地局の位置は予め分かっているため、受信端末１００が利用している携帯電話の基地局から受信端末１００のおおよその位置を特定することができる。この地理情報判定テーブルは、地理情報（地域Ａ〜地域Ｚ）と携帯電話の基地局情報とが関連付けられている。
【００６６】
受信端末１００は、アンテナ１０１を介して利用している基地局の情報を取得し、この基地局情報を位置情報として利用して地理情報判定テーブルを参照して、受信端末１００の地理情報を決定する。例えば、受信端末１００は、現在、基地局Ａ１を利用している場合には、受信端末１００は、地域Ａにいると判断し、地域Ａの地理情報を選択する。
【００６７】
次に、ルーターのＩＰアドレスを用いた地理情報判定テーブルについて説明する。図１４は、地理情報判定テーブルの他の例である。この地理情報判定テーブルは受信端末１００のＭＰＵ１２４内に予め格納されている。ルーターのＩＰアドレスより受信端末１００が利用しているルーターから受信端末１００のおおよその位置を特定することができる。この地理情報判定テーブルは、地理情報（地域Ａ〜地域Ｚ）とルーターのＩＰアドレスとが関連付けられている。
【００６８】
受信端末１００は、アンテナ１０１を介して利用しているルーターのＩＰアドレスを取得し、このＩＰアドレスを位置情報として利用して地理情報判定テーブルを参照して、受信端末１００の地理情報を決定する。例えば、受信端末１００は、現在利用しているルーターのＩＰアドレスが地域Ａに対応するＩＰアドレスの範囲内にある場合には、受信端末１００は、地域Ａにいると判断し、地域Ａの地理情報を選択する。
【００６９】
次に、ルーターの設置位置を用いた地理情報判定テーブルについて説明する。図１５は、地理情報判定テーブルの他の例である。この地理情報判定テーブルは受信端末１００のＭＰＵ１２４内に予め格納されている。ルーターの設置位置は予め分かっているため、受信端末１００が利用しているルーターから受信端末１００のおおよその位置を特定することができる。この地理情報判定テーブルは、地理情報（地域Ａ〜地域Ｚ）とルーターの設置位置とが関連付けられている。
【００７０】
受信端末１００は、アンテナ１０１を介して利用しているルーターを特定し、このルーターの設置位置から地理情報判定テーブルを参照して、受信端末１００の地理情報を決定する。例えば、受信端末１００は、現在利用しているルーターが地域Ａに対応している場合には、受信端末１００は、地域Ａにいると判断し、地域Ａの地理情報を選択する。
【００７１】
以上、本発明の好ましい実施例について詳述したが、本発明に係る実施例に限定されるものではなく、特許請求の範囲に記載された本発明の要旨の範囲内において、種々の変形、変更が可能である。
【００７２】
尚、制御サーバ４００は本発明の入力手段、販売確認手段、販売情報生成手段、番組表送信手段、放送局記憶手段、地理情報取得手段およびリスト送信手段として機能する。これらの機能は一つのサーバによって構成することもでき、また複数のサーバによって構成することもできる。また、受信端末は、地理情報取得手段、リスト取得手段、番組表取得手段、再生制御手段および楽曲データ取得手段として機能する。放送提供方法は放送提供システムまたは制御サーバ４００によって実行される。また受信端末の制御方法は受信端末１００により実行される。
【符号の説明】
【００７３】
1  放送提供システム
１００  受信端末
１２４  ＭＰＵ
１３０  ＧＰＳアンテナ
２００  音源配信サーバ
３００  放送局ＷＥＢサーバ
４００  制御サーバ
５００  楽曲販売サーバ
６００  インターネット
【図１】
2010267228.tif 000003
【図２】
2010267228.tif 000004
【図３】
2010267228.tif 000005
【図４】
2010267228.tif 000006
【図５】
2010267228.tif 000007
【図６】
2010267228.tif 000008
【図７】
2010267228.tif 000009
【図８】
2010267228.tif 000010
【図９】
2010267228.tif 000011
【図１０】
2010267228.tif 000012
【図１１】
2010267228.tif 000013
【図１２】
2010267228.tif 000014
【図１３】
2010267228.tif 000015
【図１４】
2010267228.tif 000016
【図１５】
2010267228.tif 000017